(57)【要約】      （修正有）【課題】  何時でも、何処でも、安全に、確実に個人情報、秘密情報等が掲載された被裁断物を細かく裁断し、交互に分別することが可能であり、かつ、小型でポケット、バッグ等に収納可能な携帯用裁断機を提供する。【解決手段】  挿入口の長手方向の両側に交互に配設した複数の巻込み防止板、裁断された被裁断物を交互に分離するために排出口に嵌合した裁断物分離部材、被裁断物を裁断する２本の回転軸、及び前記回転軸の１本の回転軸を手動により回転させる回転刃駆動部材からなる本体ハウジング、裁断物を排出する排出口及び回転刃固定板嵌合部材からなる回転刃積載用台座、並びに柔軟性があり、分離された被裁断物を交互に分別して収納する裁断物分離仕切を有し、前記本体ハウジングの下部に配設された裁断物収納部材からなり、裁断物を交互に分別し、それぞれ別個に収納する機能を有する携帯用裁断機。【選択図】図１
2007330955.tif 000002
【特許請求の範囲】
【請求項１】
次のａ）乃至ｃ）
ａ）被裁断物を挿入する挿入口、挿入口の長手方向の両側に交互に配設した複数の巻込み    防止板、裁断された被裁断物を交互に分離するために排出口に嵌合した裁断物分離部    材、被裁断物を裁断する円盤状の複数の回転刃とギアとを配設した２本の回転軸、及    び前記回転軸の１本の回転軸を手動により回転させる回転刃駆動部材からなる本体ハ    ウジング、
ｂ）裁断物を排出する排出口及び回転刃固定板嵌合部材からなる回転刃積載用台座、並び    に
ｃ）柔軟性があり、分離された被裁断物を交互に分別して収納する裁断物分離仕切を有し    、前記本体ハウジングの下部に配設された裁断物収納部材
からなり、本体ハウジング及び回転刃積載用台座のいずれか一方又は双方に裁断物収納部材の係止部材を配設し、裁断物を交互に分別し、それぞれ別個に収納する機能を有する携帯用裁断機。
【請求項２】
本体ハウジングが、半円筒型である請求項１に記載の携帯用裁断機。
【請求項３】
裁断物収納部材が、本体ハウジングに巻付けて保持する保持部材を配設した巻締部材を有する請求項１に記載の携帯用裁断機。
【請求項４】
回転刃駆動部材が、折畳み可能な取手を有する請求項１に記載の携帯用裁断機。
【発明の詳細な説明】
【技術分野】
【０００１】  本発明は、被裁断物を挿入する挿入口、挿入口の長手方向の両側に交互に配設した複数の巻込み防止板、裁断された被裁断物を交互に分離するために排出口に嵌合した裁断物分離部材、被裁断物を裁断する円盤状の複数の回転刃とギアとを配設した２本の回転軸、及び前記回転軸の１本の回転軸を手動により回転させる回転刃駆動部材からなる本体ハウジング、裁断物を排出する排出口及び回転刃固定板嵌合部材からなる回転刃積載用台座、並びに柔軟性があり、分離された被裁断物を交互に分別して収納する裁断物分離仕切を有し、前記本体ハウジングの下部に配設された裁断物収納部材からなり、本体ハウジング及び回転刃積載用台座のいずれか一方又は双方に裁断物収納部材の係止部材を配設し、裁断物を交互に分別し、それぞれ別個に収納する機能を有する携帯用裁断機に関する。【０００２】  本明細書において被裁断物とは、例えば、銀行のＡＴＭ利用明細書、クレジットカードの控等個人情報、秘密情報が掲載されており、紛失、盗難等により個人情報、秘密情報の流失するおそれがあり、適切に処分しなければならない全ての物品を意味する。
【背景技術】
【０００３】  情報化社会の急速な進展、国際的な情報流通の拡大等に伴い、個人の権利又は利益の侵害の不安及び危険が増大している。特に個人情報については、個人情報保護法が今年度から施行され、国、公的機関、民間事業者が遵守すべき法制、条例等が整備された。【０００４】  しかしながら、個人がその責任として履行しなければならない処理が不完全であるため、例えば、個人情報が掲載されている銀行のＡＴＭの利用明細書、クレジットカードの控等が簡単に流出し、犯罪を招くケースも増大している。【０００５】  従来、秘密書類等の裁断を目的とした機器、例えば裁断機、シュレッダー等は、回転軸に刃があり、凹凸のある２本の回転軸がかみ合う構造になっており（例えば、特許文献１乃至特許文献３参照。）、構造が複雑なために大型になり、携帯可能な小型の機器は存在しなかった。また、机上を移動自在な裁断装置（例えば、特許文献４参照。）、吸引式載置台のシール装置を備えた裁断機（例えば、特許文献５参照。）等は公開されているが、裁断した被裁断物の吸引装置、吸引ダクト等が複雑に配設されており、携帯用の裁断機としての技術的思想は開示されていない。【０００６】  携帯可能な機器としては、操作部と２個以上のパンチ刃からなるパンチ刃群とを有し、操作部によりパンチ刃群を動かし、パンチ対象物に複数の孔を開けて情報の流出を防止するパンチであって、パンチ刃群中の隣接するパンチ刃が、パンチ対象物に表された情報の把握が困難になる程度に近接していることを特徴とする情報流出防止用パンチが公開されている（特許文献６参照。）。この機器は、例えば書類等を裁断するのではなく、書類等に記載されている文字を打ち抜く構造であり、書類等に記載されている文字を確実に打ち抜くためには、何度も確認しなければならず、携帯は可能であるが使用に際し難点があった。【０００７】  また、本体が上半本体と下半本体とに分けられ、上半本体の前方中央線部分に押しボタンを設け、その押しボタンの下面に刃先が傾斜した板状の刃を、本体長手方向に対し、横方向に数列並べ、数列の刃逃げ細穴をもった押しボタン押さえ板で押さえ、下半本体にボタンと位置する所に、数列の刃逃げ細穴をもった紙受け板とを具備したことを特徴とする携帯型ハンドシュレッダーが開示されている（特許文献７参照。）。【０００８】  しかしながら、この従来技術では、同公報第５ページ１０行に記載されているとおり、「紙を手で引いて」裁断するので、数列の刃の幅よりも幅の大きな紙を裁断する場合、紙を折りたたむ必要があり、厚くなった紙を手で引いて裁断するには、紙が千切れることもあり得るので、裁断が確実にできるか否か問題があった。前記のような従来技術の状況から、本発明者は、刃を移動させて被裁断物を確実に、細かく裁断し得る携帯用裁断機を発明し、特許出願した（特許文献８）。しかしながら、この携帯用裁断機により裁断した場合、裁断された物が一か所に収納されるため、秘密保持には問題があった。【０００９】  一方、前記の回転軸に刃があり、凹凸のある２本の回転軸がかみ合う構造の裁断機を小型化し、手動で裁断する裁断機としては、ごみ箱の上に乗せて裁断する製品［株式会社岩田良の製品。商品名：ハンド・シュレッ���ー・コンパクト（ＨＡＮＤ−ＳＨＲＥＤＤＥＲ  ＣＯＭＰＡＣＴ。型式：Ｎｏ．ＨＳ−９８１２）］、卓上型の製品［株式会社岩田良の製品。商品名：プチシュレ（ＰＥＴＩＴ  ＳＨＲＥ）］が市販されており、意匠公報（特許文献９乃至特許文献１５）に開示されている。【００１０】  これらの製品は、被裁断物を約４ｍｍの幅に裁断することが可能であるが、この程度の裁断では秘密保持が不十分であり、裁断する幅を細くするために、刃の幅を細くすれば高価になるので、実用化には問題があった。更に、これら従来の製品及び意匠公報に掲載されている裁断機には、裁断物を収納する箱が配設されているため、携帯用には不適切であった。以上のとおり、従来小型化した手動の裁断機は存在していたが、携帯可能な裁断機は存在しなかった。
【特許文献１】  特公平６−２６６８２号公報
【特許文献２】  特開２００１−２９８２７号公報
【特許文献３】  特開２００５−９５８９８号公報
【特許文献４】  特公平７−９０５０３号公報
【特許文献５】  特公平７−９０５０６号公報
【特許文献６】  特開２００４−２５３６１号公報
【特許文献７】  登録実用新案第３０６４０１２号公報
【特許文献８】  特願２００５−３８１１０３号（未公開）
【特許文献９】  意匠登録第１０６２５１６号公報
【特許文献１０】  意匠登録第１０７８１２２号公報
【特許文献１１】  意匠登録第１０７８１２４号公報
【特許文献１２】  意匠登録第１０７８１２６号公報
【特許文献１３】  意匠登録第１０７８１２８号公報
【特許文献１４】  意匠登録第１１００８０５号公報
【特許文献１５】  意匠登録第１１１５１５８号公報
【発明の開示】
【発明が解決しようとする課題】
【００１１】  本発明者は、前記従来技術に鑑みて携帯可能であり、かつ、確実に裁断できる携帯用裁断機について鋭意研究を行った結果、携帯可能であり、１回の処理により書類等の被裁断物を確実に裁断でき、かつ、裁断した被裁断物を交互に二分し、それぞれ別個にごみとして廃棄できる携帯用筒型裁断機を完成した。【００１２】  本発明の目的は、携帯可能であり、何時でも、何処でも、確実に、安全に裁断でき、裁断した被裁断物を即座に、かつ、交互に二分された裁断物をそれぞれ別個に廃棄できる携帯用筒型裁断機を提供することである。
【課題を解決するための手段】
【００１３】  前記課題を解決する本発明は、  次のａ）乃至ｃ）
ａ）被裁断物を挿入する挿入口、挿入口の長手方向の両側に交互に配設した複数の巻込み    防止板、裁断された被裁断物を交互に分離するために排出口に嵌合した裁断物分離部    材、被裁断物を裁断する円盤状の複数の回転刃とギアとを配設した２本の回転軸、及    び前記回転軸の１本の回転軸を手動により回転させる回転刃駆動部材からなる本体ハ    ウジング、
ｂ）裁断物を排出する排出口及び回転刃固定板嵌合部材からなる回転刃積載用台座、並び    に
ｃ）柔軟性があり、分離された被裁断物を交互に分別して収納する裁断物分離仕切を有し    、前記本体ハウジングの下部に配設された裁断物収納部材
からなり、本体ハウジング及び回転刃積載用台座のいずれか一方又は双方に裁断物収納部材の係止部材を配設し、裁断物を交互に分別し、それぞれ別個に収納する機能を有する携帯用裁断機であり、本体ハウジングが半円筒型であること、裁断物収納部材が、本体ハウジングに巻付けて保持する保持部材を配設した巻締部材を有すること、及び回転刃駆動部材が、折畳み可能な取手を有することを望ましい態様としている。【００１４】  次に本発明について、本発明の一実施態様である図１乃至図４に基づいて詳細に記載する。尚、図１の点線は縫製の縫い目である。本発明の携帯用筒型裁断機は、携帯に便利なように例えば、長さ約１２０ｍｍ、直径約４０ｍｍ程度の半円筒型でポケットに入る大きさに設定されているのが最も望ましいが、バッグ等に収納するものは、更に大きく設定することも可能である。【００１５】  図１の外観図に示すとおり、本発明の携帯用筒型裁断機は、外観的には本体ハウジング（１）及び裁断物収納部材（２）から構成されている。本体ハウジング（１）には被裁断物を挿入する挿入口（３）、挿入口（３）の長手方向の両側に交互に配設した複数、例えば一方に８枚、の巻込み防止板（３０）、裁断物収納部材（２）を係止するための係止部材（５、６）、内蔵されている回転刃を駆動する回転刃駆動部材（４）から構成され、軽量、かつ強度のある市販の合成樹脂、例えばアクリルニトリルブタジエンスチレン（ＡＢＳ）樹脂、ポリスチレン樹脂等を常法により成形して製造する。この本体ハウジング（１）には種々の色彩を施すことも可能であり、商品名、製造者名、使用上の注意事項、広告等を印刷することも可能である。【００１６】  本体ハウジング（１）の内部には、図３に示すとおり、被裁断物を送込み、裁断するために、外周に刻み目を設けた円盤状の刃（３２）を２本の回転軸（３１）に複数配設する。円盤状の刃の幅は約４ｍｍ程度であり、図３に示すとおり市販されている小型の裁断機に使用されている刃と同一であり、例えば、プチシュレ（ＰＥＴＩＴ  ＳＨＲＥ）（株式会社岩田良製）等に使用されている。この２本の回転軸（３１）にはギア（２１、２２）が配設されており、一方に嵌合させた回転刃駆動部材（４）を駆動することにより２本の回転軸（３１）が駆動し、被裁断物を裁断する仕組になっている。また、この回転軸（３１）には、図３に示すとおり２枚の回転刃固定板（１９、２０）が、本体ハウジング（１）と同一の材料により成形され、付設され、回転刃積載用台座（２３）に固定される。【００１７】  回転刃駆動部材（４）は、図３に示すとおり、本体ハウジング（１）の中央ではなく、やや横にずらして配設されている。また、この回転刃駆動部材（４）には、折畳み可能な取手を付設し、裁断を容易にすることも可能である。【００１８】  本体ハウジング（１）には、図３に示すとおり回転派積載用台座（２３）が嵌合されている。回転刃積載用台座（２３）は、裁断物排出口（１３）、回転刃固定板嵌合部材（２４、２５、２６、２７）及び回転刃駆動部材支持板（２８、２９）から構成されており、本体ハウジングと同様に軽量、かつ強度のある市販の合成樹脂、例えばアクリルニトリルブタジエンスチレン（ＡＢＳ）樹脂、ポリスチレン樹脂等を常法により成形して製造する。【００１９】  裁断物収納部材（２）は、柔軟な市販の合成繊維、例えばナイロンツイル生地等を常法により縫製して製造するか又は柔軟な市販の合成樹脂、例えばアクリルニトリルブタジエンスチレン（ＡＢＳ）樹脂、ポリスチレン樹脂等を成形して製造する。図１は外観図のため内部が表示されていないが、裁断物を交互に分別収納するため実施例１に示すとおり、裁断物収納部材（２）には裁断物分離仕切を設けている。また、図１の実施態様では裁断物収納部材（２）に裁断状態を確認するための透明窓（１２）が設けられており、裁断物収納部材（２）を本体ハウジング（１）に巻付けて保管するための帯状の巻締部材（７）、巻締部材（７）を保持するための保持部材（８、９）、例えばマジックテープ、ボタン等が設けられている。尚、透明な窓（１２）には透明な市販の合成樹脂、例えば塩化ビニール等を使用する。【００２０】  裁断物収納部材（２）は、図１に示すとおり本体ハウジング（１）に係止部材（５、６）により取外し可能に係止することも可能であり、実施例１に示すとおり本体ハウジング（１）に取外しできるように嵌合することも可能である。更に実施例２に示すとおり、裁断物収納部材（２）の底部を引出し状にして裁断物を排出することも可能である。【００２１】  この係止部材（５、６）は、図１及び実施例１に示すいずれか一つを配設することが必須であるが、双方を配設し、使用者の好み、使用目的等により使い分けることも可能である。【００２２】  本発明の携帯用裁断機による被裁断物の裁断は次のとおり実施される。被裁断物（１０）は、本体ハウジング（１）の挿入口（３）から挿入され、手で回転刃駆動部材（４）を回転させることにより、被裁断物（１０）が裁断され、裁断物（１１）が回転刃積載用台座（２３）の裁断物排出口（１３）から交互に分別されて裁断物収納部材（２）に排出され、分別して収納される。具体的には図４の断面模式図に示すとおり、裁断された裁断物は、巻込み防止板（３０）により円盤型回転刃（３２）に巻込まれることなく裁断され、図２に示すとおり、回転刃積載用台座（２３）に設けられた凹部（１５、１６）に凸部（１７、１８）により装着された裁断物分離部材（１４）により、交互に分離され、回転刃積載用台座（２３）の裁断物排出口（１３）から排出され、裁断物分離仕切により仕切られた裁断物収納部材（２）に、混合することなく収納される。【００２３】  以上の構成からなる本発明の携帯用筒型裁断機により裁断された物品は細かく裁断され、被裁断物が交互に分別されているので、裁断後に二分された裁断物をそれぞれ別個に廃棄することにより秘密が保持される。
【発明の効果】
【００２４】  本発明は、被裁断物を挿入する挿入口、挿入口の長手方向の両側に交互に配設した複数の巻込み防止板、裁断された被裁断物を交互に分離するために排出口に嵌合した裁断物分離部材、被裁断物を裁断する円盤状の複数の回転刃とギアとを配設した２本の回転軸、及び前記回転軸の１本の回転軸を手動により回転させる回転刃駆動部材からなる本体ハウジング、裁断物を排出する排出口及び回転刃固定板嵌合部材からなる回転刃積載用台座、並びに柔軟性があり、分離された被裁断物を交互に分別して収納する裁断物分離仕切を有し、前記本体ハウジングの下部に配設された裁断物収納部材からなり、本体ハウジング及び回転刃積載用台座のいずれか一方又は双方に裁断物収納部材の係止部材を配設し、裁断物を交互に分別し、それぞれ別個に収納する機能を有する携帯用筒型裁断機であり、本発明の奏する効果は次のとおりである。【００２５】１）携帯ができるので、何時でも、何処でも個人情報、秘密情報等の流失のおそれがある    被裁断物を確実に、細かく裁断可能である。
２）被裁断物を容易に、かつ、子供でも安全に裁断することが可能である。
３）裁断した被裁断物が交互に分別収納されているので、それぞれ別個にごみとして即座    に廃棄可能であり、個人情報の秘密保持に極めて有効である。
４）裁断物収納部材を巻き取ることができるので、小型化することが可能である。
【発明を実施するための最良の形態】
【００２６】  以下に本発明を実施するための最良の形態を図４及び図５に基づいて記載するが、本発明は以下の実施の形態に限定されるものではない。
【実施例１】
【００２７】  図４は、本発明の一実施形態を示す外観図であり、アクリルニトリルブタジエンスチレン樹脂（信越化学工業社製）を使用し、常法により本体ハウジング（１）を成形した。本体ハウジング（１）の形状は、長手方向約１１７ｍｍ、直径約３３ｍｍの半円筒状であり、上部の中心には幅約４ｍｍ、長さ約６７ｍｍの被裁断物挿入口（３）があり、被裁断物挿入口（３）の長手方向の両側には、長さ約１５ｍｍ、幅約２ｍｍの巻込み防止板をギア（２１）側に８枚、ギア（２２）側に７枚交互に配設した（図３の点線部分を参照）。【００２８】  回転刃駆動部材（４）は、厚さ約２０ｍｍ、直径約３３ｍｍの円盤状であり、手で回転させるときに便利なように外周部分に凹凸を設け、中心部には回転軸に嵌合するように長さ約３２ｍｍ、直径約１２ｍｍの中空の半円筒状突起を配設し、アクリルニトリルブタジエンスチレン（信越化学工業社製）を使用し、常法により成形した。【００２９】  回転刃積載用台座（図２及び図３を参照）の中央には、幅約４ｍｍ、長さ約６０ｍｍの裁断物排出口（１３）、４ケ所に回転刃固定板嵌合部材（２４、２５、２６、２７）、裁断物分離部材を嵌合する２ケ所の凹部（１５、１６）、回転刃駆動部材及び本体ハウジングを支える部材（２８、２９）を設け、更に裁断物収納部材を嵌合する係止部材（５、６）を４ケ所（図５は外観図のため回転刃積載用台座の裏側は表示されていない）に設けた。ひの回転刃積載用台座もアクリルニトリルブタジエンスチレン樹脂（信越化学工業社製）を使用し、常法により成形した。【００３０】  回転刃積載用台座の下部には、図２に示すとおりアクリルニトリルブタジエンスチレン樹脂（信越化学工業社製）を使用し、常法により成形した裁断物分離部材（１４）を嵌合した。【００３１】  裁断物収納部材（２）は、ナイロンツイル２１０Ｄ（旭化成社製）を使用し、常法により縫製し、図５に示すとおり裁断物分離仕切（３３）を裁断物収納部材（２）の長手方向に設けた。この裁断物収納部材（２）は、本体ハウジングの係止部材に嵌合して配設した。【００３２】  本体ハウジング内に収納されている回転刃（図４の１３を参照）は、市販品（岩田良社製）を使用し、図３に示すとおり２枚の回転刃固定板（１９、２０）を配設し、回転刃積載用台座の回転刃固定板嵌合部材（２４、２５、２６、２７）に固定した。
【実施例２】
【００３３】  この実施例は、実施例１の裁断物収納部材（２）を変更した例であり、その他は実施例１と同一である。この例では図６に示すとおり、アクリルニトリルブタジエンスチレン樹脂（信越化学工業社製）をインジェクション成形により裁断物収納部材（２）の底部を引出し状に設定した。このように設定することにより、裁断物収納部材（２）を本体ハウジングから取外さずに裁断物を廃棄することができる。
【図面の簡単な説明】
【００３４】
【図１】  本発明の携帯用筒型裁断機の一例を示す斜め側面からの外観図である（実施例１）。
【図２】  図１の本体ハウジングの斜め下からの拡大外観図である。
【図３】  図１の本体ハウジングを分解した斜め方向からの外観図である。
【図４】  本発明の携帯用筒型裁断機の裁断過程を示す断面模式図である。
【図５】  本発明の他の実施形態を示す外観図である（実施例２）。
【図６】  本発明の裁断物収納部材の他の例を示す外観図である。
【符号の説明】
【００３５】  １  本体ハウジング
２  裁断物収納部材
３  被裁断物挿入口
４  回転刃駆動部材
５、６  裁断物収納部材の係止部材
７  巻締部材
８、９  保持部材
１０  被裁断物
１１  裁断物
１２  透明窓
１３  裁断物排出口
１４  裁断物分離部材
１５、１６  凹部
１７、１８  凸部
１９、２０  回転刃固定板
２１、２２  ギア
２３  回転刃積載用台座
２４、２５、２６、２７  回転刃固定板嵌合部材
２８、２９  回転刃駆動部材支持板
３０  巻込み防止板
３１  回転軸
３２  円盤型回転刃
３３  裁断物分離仕切
３４、３５  裁断物排出用部材
【図１】
2007330955.tif 000003
【図２】
2007330955.tif 000004
【図３】
2007330955.tif 000005
【図４】
2007330955.tif 000006
【図５】
2007330955.tif 000007
【図６】
2007330955.tif 000008